(57)【要約】【課題】液栓と容器との接合作業を容易にすることができる蓄電素子を提供する。【解決手段】電解液の液口が形成された容器１００と、液口１１１を塞ぐ液栓４００とを備える蓄電素子１０であって、液栓４００は、液口１１１上に配置されて液口１１１を覆い、かつ、容器１００に接合される本体部４１０を有し、液栓４００及び容器１００のいずれか一方は、他方に向けて突出する突出部４２０を有し、他方は、突出部４２０が挿入される被挿入部１１２を有し、突出部４２０及び被挿入部１１２は、容器１００と本体部４１０との接合位置とは異なる位置に配置されるとともに、液口１１１と間隔を空けて配置される。【選択図】図４
2019029210.tif 000002
【特許請求の範囲】
【請求項１】
電解液の液口が形成された容器と、前記液口を塞ぐ液栓とを備える蓄電素子であって、
前記液栓は、前記液口上に配置されて前記液口を覆い、かつ、前記容器に接合される本体部を有し、
前記液栓及び前記容器のいずれか一方は、他方に向けて突出する突出部を有し、前記他方は、前記突出部が挿入される被挿入部を有し、
前記突出部及び前記被挿入部は、前記容器と前記本体部との接合位置とは異なる位置に配置されるとともに、前記液口と間隔を空けて配置される
蓄電素子。
【請求項２】
前記被挿入部は、前記容器に形成された凹部または貫通孔であり、
前記突出部は、前記液栓の前記本体部から突出して形成され、前記凹部または前記貫通孔に挿入される
請求項１に記載の蓄電素子。
【請求項３】
前記突出部及び前記被挿入部は、前記液口の周囲に環状に配置されている
請求項１または２に記載の蓄電素子。
【請求項４】
前記液栓及び前記容器の前記一方は、複数の前記突出部を有し、前記他方は、複数の前記被挿入部を有する
請求項１または２に記載の蓄電素子。
【請求項５】
複数の前記突出部及び複数の前記被挿入部は、前記液口の周囲に配置されている
請求項４に記載の蓄電素子。
【請求項６】
前記本体部の内面における前記突出部及び前記被挿入部よりも前記液口側に、第一凹部が形成されている
請求項１〜５のいずれか１項に記載の蓄電素子。
【請求項７】
前記本体部の外面には、複数の第二凹部が形成されている
請求項１〜６のいずれか１項に記載の蓄電素子。
【発明の詳細な説明】
【技術分野】
【０００１】
本発明は、電解液の液口が形成された容器と、当該液口を塞ぐ液栓とを備える蓄電素子に関する。
【背景技術】
【０００２】
従来、電解液の液口が形成された容器と、当該液口を塞ぐ液栓とを備える蓄電素子が広く知られている。例えば、特許文献１には、注液孔（液口）が形成された容器と、当該注液孔を封止する封止栓（液栓）とを備えた密閉式電池（蓄電素子）が開示されている。この密閉式電池においては、封止栓は、注液孔に圧入されて注液孔を閉塞する圧入部材を有しており、注液孔の封止性を長期に亘って維持する。また、特許文献２には、電解液注入孔（液口）が形成された容器と、当該電解液注入孔を密閉させる密閉部材（液栓）とを備えた二次電池（蓄電素子）が開示されている。この二次電池においては、電解液注入孔の周辺に沿って形成される溝に密閉部材を嵌合させ、当該密閉部材で電解液注入孔を覆って密閉している。
【先行技術文献】
【特許文献】
【０００３】
【特許文献１】特開２０１４−１７０６４８号公報
【特許文献２】特開２００６−３２４２４４号公報
【発明の概要】
【発明が解決しようとする課題】
【０００４】
しかしながら、本願発明者は、上記従来の蓄電素子の構成では、液栓と容器との接合作業が困難になるという問題があることを見出した。例えば、上記特許文献１では、封止栓の圧入部材が注液孔に圧入されて注液孔を閉塞している構成のため、容器内の電解液が、当該圧入部材を伝って注液孔から這い上がってくることがある。電解液が注液孔から這い上がってくれば、封止栓と容器との接合不良を起こさないように接合作業を行う必要があり、接合作業が困難になる。また、上記特許文献２では、電解液注入孔周辺の溝に密閉部材を溶接する構成のため、密閉部材と溝との溶接時に密閉部材と溝との間の隙間が狭まるなどによって、密閉部材が引っ張られて割れるなど損傷するおそれがある。このため、密閉部材が損傷しないように密閉部材と容器との接合作業を行う必要があり、接合作業が困難になる。
【０００５】
本発明は、上記問題に鑑みてなされたものであり、液栓と容器との接合作業を容易にすることができる蓄電素子を提供することを目的とする。
【課題を解決するための手段】
【０００６】
上記目的を達成するために、本発明の一態様に係る蓄電素子は、電解液の液口が形成された容器と、前記液口を塞ぐ液栓とを備える蓄電素子であって、前記液栓は、前記液口上に配置されて前記液口を覆い、かつ、前記容器に接合される本体部を有し、前記液栓及び前記容器のいずれか一方は、他方に向けて突出する突出部を有し、前記他方は、前記突出部が挿入される被挿入部を有し、前記突出部及び前記被挿入部は、前記容器と前記本体部との接合位置とは異なる位置に配置されるとともに、前記液口と間隔を空けて配置される。
【０００７】
これによれば、蓄電素子において、液栓は液口を覆う本体部を有し、液栓及び容器のいずれか一方は、他方に向けて突出する突出部を有し、他方は、突出部が挿入される被挿入部を有している。そして、突出部及び被挿入部は、容器と本体部との接合位置とは異なる位置、かつ液口と間隔を空けて配置されている。つまり、液栓の本体部で液口を覆って液口を塞ぐとともに、液口と間隔を空けた位置で突出部を被挿入部に挿入して液栓の位置決めを行う。これにより、突出部が液口内に配置されないため、突出部を伝って液口内を電解液が這い上がることがなく、液口から電解液が這い上がってくるのを抑制することができる。このように、液口からの電解液の這い上がりを抑制することで、液栓と容器との接合作業を容易にすることができる。また、突出部及び被挿入部を溶接等で接合すると、突出部及び被挿入部の間の隙間が狭まるなどによって接合部分が液栓の本体部を引っ張ることとなり、本体部が割れるなど損傷するおそれがある。このため、突出部及び被挿入部とは異なる位置で、容器と本体部とを接合することで、本体部が損傷するのを抑制することができ、液栓と容器との接合作業を容易にすることができる。
【０００８】
また、前記被挿入部は、前記容器に形成された凹部または貫通孔であり、前記突出部は、前記液栓の前記本体部から突出して形成され、前記凹部または前記貫通孔に挿入されることにしてもよい。
【０００９】
これによれば、蓄電素子において、容器に、被挿入部としての凹部または貫通孔を形成し、液栓に、当該凹部または貫通孔に挿入される突出部を形成する。ここで、液栓は小さい部材であるため、突出部及び被挿入部も小さく形成する必要がある。このため、容器に小さな突出部を形成するよりも、小さな凹部または貫通孔を形成する方が、当該容器を容易に製造することができる。そして、容器に、被挿入部として凹部を形成した場合には、当該凹部から電解液が這い上がってくることがないため、電解液の容器表面への這い上がりを抑制することができ、液栓と容器との接合作業が容易になる。また、容器に凹部を形成した場合には、突出部を当該凹部に挿入する際にコンタミ（コンタミネーション、金属粉）が発生しても、当該コンタミが容器内部に混入するのを抑制することができるため、液栓と容器との接合作業が容易になる。また、容器に、被挿入部として貫通孔を形成した場合には、突出部の被挿入部への挿入深さを深くすることができるため、液栓を容器にしっかりと固定することができ、液栓と容器との接合作業が容易になる。このように、製造が容易な容器を用いた構成において、液栓と容器との接合作業を容易にすることができる。
【００１０】
また、前記突出部及び前記被挿入部は、前記液口の周囲に環状に配置されていることにしてもよい。
【００１１】
これによれば、蓄電素子において、突出部及び被挿入部は、液口の周囲に環状に配置されている。つまり、液口内に突出部が挿入される構成ではなく、液口と間隔を空けて突出部及び被挿入部が配置される構成であるため、環状の突出部が環状の被挿入部に挿入される構成とすることができる。これにより、液栓を容器にしっかりと固定することができ、液栓と容器との接合作業を容易にすることができる。また、環状の突出部と環状の被挿入部とを溶接等で接合すると、環状の接合部分が液栓の本体部を周囲から引っ張り合うこととなり、本体部が割れるなど損傷しやすくなるが、当該蓄電素子においては、突出部及び被挿入部とは異なる位置で容器と本体部とを接合する構成である。このため、環状の突出部と環状の被挿入部とを有する構成においても、接合時に本体部が損傷するのを抑制することができ、液栓と容器との接合作業を容易にすることができる。
【００１２】
また、前記液栓及び前記容器の前記一方は、複数の前記突出部を有し、前記他方は、複数の前記被挿入部を有することにしてもよい。
【００１３】
これによれば、蓄電素子において、液栓及び容器の一方は、複数の突出部を有し、他方は、複数の被挿入部を有している。つまり、液口内に突出部が挿入される構成ではなく、液口と間隔を空けて突出部及び被挿入部が配置される構成であるため、複数の突出部が複数の被挿入部に挿入される構成とすることができる。これにより、液栓が容器に対して回転するのを抑制することができるとともに、液栓を容器にしっかりと固定することができるため、液栓と容器との接合作業を容易にすることができる。また、複数の突出部と複数の被挿入部とを溶接等で接合すると、複数の接合部分同士が液栓の本体部を引っ張り合うこととなり、本体部が割れるなど損傷しやすくなるが、当該蓄電素子においては、突出部及び被挿入部とは異なる位置で容器と本体部とを接合する構成である。このため、複数の突出部と複数の被挿入部とを有する構成においても、接合時に本体部が損傷するのを抑制することができ、液栓と容器との接合作業を容易にすることができる。
【００１４】
また、複数の前記突出部及び複数の前記被挿入部は、前記液口の周囲に配置されていることにしてもよい。
【００１５】
これによれば、蓄電素子において、複数の突出部及び複数の被挿入部は、液口の周囲に配置されている。ここで、複数の突出部及び複数の被挿入部を一列に並べて配置したりすると、液栓の本体部の形状が長くなるため、本体部と容器との接合部分の長さが長くなり、液栓と容器との接合作業が困難になる。このため、液口の周囲に複数の突出部及び複数の被挿入部を配置することで、本体部の外周部分の長さを短くすることができるため、本体部と容器との接合部分の長さを短くすることができる。これにより、液栓と容器との接合作業を容易にすることができる。また、液口の周囲の複数の突出部と複数の被挿入部とを溶接等で接合すると、複数の接合部分が液栓の本体部を周囲から引っ張り合うこととなり、本体部が割れるなど損傷しやすくなるが、当該蓄電素子においては、突出部及び被挿入部とは異なる位置で容器と本体部とを接合する構成である。このため、液口の周囲の複数の突出部と複数の被挿入部とを有する構成においても、接合時に本体部が損傷するのを抑制することができ、液栓と容器との接合作業を容易にすることができる。
【００１６】
また、前記本体部の内面における前記突出部及び前記被挿入部よりも前記液口側に、第一凹部が形成されていることにしてもよい。
【００１７】
これによれば、蓄電素子において、液栓の本体部の内面における突出部及び被挿入部よりも液口側に、第一凹部が形成されている。つまり、液口と突出部及び被挿入部とは、間隔を空けて配置されるため、本体部の内面における突出部及び被挿入部の液口側に第一凹部を形成することで、第一凹部を液口に対向する位置に配置することができる。これにより、本体部が液口の端縁に直接触れるのを抑制することができるため、電解液が液口から這い上がってくるのを抑制することができる。また、液栓の本体部に第一凹部が形成されていると本体部が割れるなど損傷しやすくなるが、当該蓄電素子においては、本体部が損傷するのを抑制することができる構成であるため、本体部に第一凹部を形成することができる。これらにより、液栓と容器との接合作業を容易にすることができる。
【００１８】
また、前記本体部の外面には、複数の第二凹部が形成されていることにしてもよい。
【００１９】
これによれば、蓄電素子において、液栓の本体部の外面に複数の第二凹部を形成することで、複数の第二凹部を用いて、液栓の位置決めを行うことができる。また、液栓の本体部に第二凹部が形成されていると本体部が割れるなど損傷しやすくなるが、当該蓄電素子においては、本体部が損傷するのを抑制することができる構成であるため、本体部に第二凹部を形成することができる。これらにより、液栓と容器との接合作業を容易にすることができる。
【００２０】
なお、本発明は、蓄電素子として実現することができるだけでなく、当該蓄電素子が備える、電解液の液口が形成された容器及び液栓としても実現することができる。
【発明の効果】
【００２１】
本発明における蓄電素子によれば、液栓と容器との接合作業を容易にすることができる。
【図面の簡単な説明】
【００２２】
【図１】実施の形態に係る蓄電素子の外観を示す斜視図である。
【図２】実施の形態に係る蓄電素子が備える各構成要素を示す斜視図である。
【図３】実施の形態に係る蓋体の液口まわりの構成及び液栓の構成を示す斜視図である。
【図４】実施の形態に係る蓋体の液口まわりの構成及び液栓の構成を示す平面図及び断面図である。
【図５】実施の形態の変形例１に係る液栓の構成を示す斜視図である。
【図６】実施の形態の変形例１に係る蓋体の液口まわりの構成を示す斜視図である。
【図７】実施の形態の変形例２に係る液栓の構成を示す斜視図である。
【図８】実施の形態の変形例２に係る蓋体の液口まわりの構成を示す斜視図である。
【図９】実施の形態の変形例３に係る蓋体の液口まわりの構成を示す斜視図である。
【図１０】実施の形態の変形例４に係る蓋体の液口まわりの構成及び液栓の構成を示す断面図及び斜視図である。
【図１１】実施の形態の変形例５に係る蓋体の液口まわりの構成及び液栓の構成を示す斜視図である。
【図１２】実施の形態の変形例６に係る蓋体の液口まわりの構成及び液栓の構成を示す斜視図である。
【発明を実施するための形態】
【００２３】
以下、図面を参照しながら、本発明の実施の形態（及びその変形例）に係る蓄電素子について説明する。なお、以下で説明する実施の形態は、いずれも包括的または具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。また、各図において、寸法等は厳密に図示したものではない。
【００２４】
また、以下実施の形態での説明及び図面中において、蓄電素子が有する一対の電極端子の並び方向、一対の集電体の並び方向、電極体の両端部（一対の活物質層非形成部）の並び方向、電極体の巻回軸方向、または、容器の短側面の対向方向をＸ軸方向と定義する。また、容器の長側面の対向方向、容器の短側面の短手方向、または、容器の厚さ方向をＹ軸方向と定義する。また、蓄電素子の容器本体と蓋体との並び方向、容器の短側面の長手方向、集電体の脚部の延設方向、または、上下方向をＺ軸方向と定義する。これらＸ軸方向、Ｙ軸方向及びＺ軸方向は、互いに交差（本実施の形態では直交）する方向である。なお、使用態様によってはＺ軸方向が上下方向にならない場合も考えられるが、以下では説明の便宜のため、Ｚ軸方向を上下方向として説明する。また、以下の説明において、例えば、Ｘ軸方向プラス側とは、Ｘ軸の矢印方向側を示し、Ｘ軸方向マイナス側とは、Ｘ軸方向プラス側とは反対側を示す。Ｙ軸方向やＺ軸方向についても同様である。
【００２５】
（実施の形態）
［１  蓄電素子１０の全般的な説明］
まず、図１及び図２を用いて、本実施の形態における蓄電素子１０の全般的な説明を行う。図１は、本実施の形態に係る蓄電素子１０の外観を示す斜視図である。また、図２は、本実施の形態に係る蓄電素子１０が備える各構成要素を示す斜視図である。具体的には、図２は、蓄電素子１０から容器本体１２０及び液栓４００を分離した状態での構成を示す斜視図である。
【００２６】
蓄電素子１０は、電気を充電し、また、電気を放電することのできる二次電池であり、具体的には、リチウムイオン二次電池などの非水電解質二次電池である。蓄電素子１０は、例えば、電気自動車（ＥＶ）、ハイブリッド電気自動車（ＨＥＶ）またはプラグインハイブリッド電気自動車（ＰＨＥＶ）等の自動車用電源や、電子機器用電源、電力貯蔵用電源などに使用される。なお、蓄電素子１０は、非水電解質二次電池には限定されず、非水電解質二次電池以外の二次電池であってもよいし、キャパシタであってもよい。また、蓄電素子１０は、二次電池ではなく、使用者が充電をしなくても蓄えられている電気を使用できる一次電池であってもよい。また、本実施の形態では、直方体形状（角型）の蓄電素子１０を図示しているが、蓄電素子１０の形状は、直方体形状には限定されず、円柱形状や長円柱形状等であってもよいし、ラミネート型の蓄電素子とすることもできる。
【００２７】
図１に示すように、蓄電素子１０は、蓋体１１０と容器本体１２０とを有する容器１００と、正極端子２００と、負極端子３００とを備えている。また、図２に示すように、容器１００内方には、電極体１３０と、正極集電体１４０と、負極集電体１５０とが収容されている。
【００２８】
なお、蓋体１１０と正極端子２００との間、及び蓋体１１０と正極集電体１４０との間には、絶縁性及び気密性を高めるためにガスケット等が配置されているが、同図では省略して図示している。負極側についても、同様である。また、容器１００の内部には、電解液（非水電解質）が封入されているが、図示は省略する。なお、当該電解液としては、蓄電素子１０の性能を損なうものでなければその種類に特に制限はなく、様々なものを選択することができる。また、上記の構成要素の他、正極集電体１４０及び負極集電体１５０の側方に配置されるスペーサ、容器１００内の圧力が上昇したときに当該圧力を開放するためのガス排出弁、または、電極体１３０等を包み込む絶縁フィルムなどが配置されていてもよい。
【００２９】
容器１００は、矩形筒状で底を備える容器本体１２０と、容器本体１２０の開口を閉塞する板状部材である蓋体１１０とで構成された直方体形状（箱型）のケースである。具体的には、蓋体１１０は、Ｘ軸方向に延設された平板状かつ矩形状の壁部であり、容器本体１２０のＺ軸方向プラス側に配置されている。容器本体１２０は、Ｚ軸方向マイナス側に平板状かつ矩形状の底壁部、Ｙ軸方向両側の側面に平板状かつ矩形状の長側壁部、及び、Ｘ軸方向両側の側面に平板状かつ矩形状の短側壁部の５つの壁部を有している。また、容器１００は、電極体１３０等を容器本体１２０の内方に収容後、蓋体１１０と容器本体１２０とが溶接等されることにより、組み立てられたものとなっている。なお、蓋体１１０及び容器本体１２０の材質は特に限定されないが、例えばステンレス鋼、アルミニウム、アルミニウム合金、鉄、メッキ鋼板など溶接可能な金属であるのが好ましい。
【００３０】
また、図２に示すように、蓋体１１０には、電解液の液口１１１が形成されている。液口１１１は、蓄電素子１０の製造時に電解液を注液するために、蓋体１１０に形成された例えば円形状の貫通孔（注液口）である。本実施の形態では、液口１１１は、蓋体１１０のＸ軸方向マイナス側寄り及びＹ軸方向マイナス側寄りに配置されている。なお、液口１１１は、蓋体１１０のどの位置に配置されていてもよい。
【００３１】
また、図１及び図２に示すように、蓋体１１０には、液口１１１を塞ぐ液栓４００が配置されている。つまり、蓄電素子１０の製造時に、液口１１１から容器１００内に電解液を注液し、液栓４００を蓋体１１０に溶接等接合して液口１１１を塞ぐことで、電解液が容器１００内に収容される。この蓋体１１０の液口１１１まわりの構成、及び、液栓４００の構成の詳細な説明については、後述する。
【００３２】
電極体１３０は、正極板と負極板とセパレータとを備え、電気を蓄えることができる蓄電要素（発電要素）である。正極板は、アルミニウムやアルミニウム合金などからなる長尺帯状の集電箔である正極基材層上に正極活物質層が形成された極板である。負極板は、銅や銅合金などからなる長尺帯状の集電箔である負極基材層上に負極活物質層が形成された極板である。セパレータは、樹脂等からなる微多孔性のシートである。そして、電極体１３０は、正極板と負極板との間にセパレータが配置され巻回されて形成されている。なお、本実施の形態では、電極体１３０の断面形状として長円形状を図示しているが、楕円形状、円形状、多角形状などでもよい。また、電極体１３０の形状は巻回型に限らず、平板状極板を積層した積層型であってもよい。
【００３３】
正極端子２００は、電極体１３０の正極板に電気的に接続された電極端子であり、負極端子３００は、電極体１３０の負極板に電気的に接続された電極端子である。つまり、正極端子２００及び負極端子３００は、電極体１３０に蓄えられている電気を蓄電素子１０の外部空間に導出し、また、電極体１３０に電気を蓄えるために蓄電素子１０の内部空間に電気を導入するための金属製の電極端子である。また、正極端子２００及び負極端子３００は、電極体１３０の上方に配置された蓋体１１０に取り付けられている。
【００３４】
正極集電体１４０及び負極集電体１５０は、電極体１３０と容器１００の壁面との間に配置され、正極端子２００及び負極端子３００と、電極体１３０の正極板及び負極板とに電気的に接続される導電性と剛性とを備えた部材である。なお、正極集電体１４０の材質は限定されないが、例えば、電極体１３０の正極基材層と同様、アルミニウムまたはアルミニウム合金などで形成されている。また、負極集電体１５０についても、材質は限定されないが、例えば、電極体１３０の負極基材層と同様、銅または銅合金などで形成されている。
【００３５】
［２  蓋体１１０の液口１１１まわり及び液栓４００の構成の説明］
次に、蓋体１１０の液口１１１まわりの構成、及び、液栓４００の構成について、詳細に説明する。図３は、本実施の形態に係る蓋体１１０の液口１１１まわりの構成、及び、液栓４００の構成を示す斜視図である。具体的には、図３は、図２における蓋体１１０の液口１１１まわり及び液栓４００の構成を拡大して示す斜視図である。また、図４は、本実施の形態に係る蓋体１１０の液口１１１まわりの構成、及び、液栓４００の構成を示す平面図及び断面図である。具体的には、図４の（ａ）は、図１における蓋体１１０及び液栓４００をＺ軸方向プラス側から見た場合の構成を拡大して示す平面図であり、図４の（ｂ）は、図４の（ａ）における蓋体１１０及び液栓４００をＩＶｂ−ＩＶｂ断面で切断した場合の構成を示す断面図である。
【００３６】
［２．１  液栓４００の構成の説明］
まず、液栓４００の構成について、詳細に説明する。液栓４００は、液口１１１を塞いだ状態で、蓋体１１０に溶接等によって接合される部材（注液栓）である。なお、液栓４００の材質は、特に限定されないが、例えばステンレス鋼、アルミニウム、アルミニウム合金、鉄、メッキ鋼板など蓋体１１０に溶接可能な金属で形成されている。ここで、図３及び図４に示すように、液栓４００は、本体部４１０と、突出部４２０とを有している。
【００３７】
本体部４１０は、液口１１１上に配置されて液口１１１を覆い、かつ、容器１００に接合される液栓４００の本体部分である。具体的には、本体部４１０は、液栓４００の上部に配置される上面視円形状の部位（鍔部）であり、液口１１１を覆った状態で蓋体１１０に接合される。さらに具体的には、本体部４１０は、内面（Ｚ軸方向マイナス側の面）が蓋体１１０の外面１１３と当接した状態で外面１１３上に載置されて、外周部分（外周縁）が全周に亘って外面１１３に接合される。これにより、本体部４１０の外周部分と外面１１３とが接合された上面視円環状の接合部４３０が形成される。具体的には、接合部４３０は、本体部４１０の外周部分と外面１１３とがレーザ溶接、抵抗溶接または超音波溶接等により溶接されて形成された溶接部である。なお、上面視とは、Ｚ軸方向プラス側から見た場合のことであり、例えば上面視円環状とは、Ｚ軸方向プラス側から見た場合に円環状の形状を有していることをいう。
【００３８】
また、本体部４１０の外面（Ｚ軸方向プラス側の面）の中央位置には、Ｚ軸方向マイナス側に向けて凹んだ略円錐状の凹部である本体部外面凹部４１１が形成されている。この本体部外面凹部４１１は、例えば、蓋体１１０の外面１１３に液栓４００を接合する際の目印として用いられる。つまり、本体部外面凹部４１１によって、本体部４１０の位置を把握することができるため、液栓４００を、外面１１３上の正確な位置に配置して、外面１１３に接合することができる。
【００３９】
突出部４２０は、液栓４００の本体部４１０から突出して形成され、後述の蓋体１１０の被挿入部１１２に挿入される円筒状の部位である。具体的には、突出部４２０は、突出部４２０の突出方向（Ｚ軸方向）から見て（つまり、上面視で）、中心が本体部４１０の中央位置に配置された円環状の部位であり、本体部４１０からＺ軸方向マイナス側に延設されて配置されている。本実施の形態では、突出部４２０は、上面視で、中心が本体部４１０の中心位置に配置されている。なお、本体部４１０の中央位置とは、本体部４１０の中心と外周縁との中間点（中点）を全周に亘って結んで形成される領域内の位置をいう。つまり、突出部４２０の中心が本体部４１０の中央位置に配置されるとは、突出部４２０の中心が、本体部４１０の中心と外周縁との中間点よりも内側（中心側）に配置されることをいう。
【００４０】
また、突出部４２０は、本体部４１０の外周部分（外周縁）よりも内側に配置され、これにより、突出部４２０は、接合部４３０とは異なる位置に配置される。つまり、本体部４１０は、突出部４２０の外周部分の全周において、当該外周部分から外方へ突出した部位を有しており、当該突出した部位に接合部４３０が形成されている。このように、接合部４３０は、突出部４２０と被挿入部１１２とが接合されて形成された部位ではなく、突出部４２０の外周部分から外方へ突出した本体部４１０の部位と蓋体１１０とが接合されて形成された部位である。
【００４１】
ここで、突出部４２０は、本体部４１０に接続されて配置される筒部４２１と、筒部４２１からＺ軸方向マイナス側に向けて徐々に縮径する縮径部４２２と、縮径部４２２からＺ軸方向マイナス側に延設された先端部４２３とを有している。
【００４２】
筒部４２１は、突出部４２０のＺ軸方向プラス側の円筒形状の部位である。縮径部４２２は、筒部４２１のＺ軸方向マイナス側の端部からＺ軸方向マイナス側に向けて、外周の径が突出部４２０の外周の径よりも徐々に小さくなる形状を有する部位である。先端部４２３は、縮径部４２２のＺ軸方向マイナス側の端部から、Ｚ軸方向マイナス側に向けて延設された円筒形状の部位であり、突出部４２０の先端部分である。このように、突出部４２０は、蓋体１１０の被挿入部１１２に挿入しやすいように、先端部分の外周が細くなった形状を有している。なお、縮径部４２２は、筒部４２１の内周と同じ径の内周を有しているが、筒部４２１の内周よりも大きな径の内周を有していてもよいし、この場合には、外周は筒部４２１の外周と同じ径であってもよい。
【００４３】
［２．２  蓋体１１０の液口１１１まわりの構成の説明］
次に、蓋体１１０の液口１１１まわりの構成について、詳細に説明する。液口１１１は、電解液の注液時に用いられる上面視円形状の貫通孔であり、液口１１１を介して電解液が容器１００の内方に注液される。ここで、蓋体１１０には、液口１１１の周囲に、環状の被挿入部１１２が配置されている。
【００４４】
被挿入部１１２は、液栓４００の突出部４２０が挿入される上面視円環状の凹部であり、液口１１１と間隔を空けて液口１１１の周囲に配置されている。具体的には、被挿入部１１２は、上面視で液口１１１の中心位置を中心とした円環状の凹部であり、蓋体１１０の外面１１３からＺ軸方向マイナス側に凹んで形成されている。また、被挿入部１１２は、上面視で、突出部４２０の筒部４２１の外周形状及び内周形状とほぼ同一の形状を有している。つまり、液栓４００の突出部４２０は、被挿入部１１２に挿入されて、被挿入部１１２と嵌合される。なお、被挿入部１１２の凹部の深さは、特に限定されないが、突出部４２０の突出高さよりも少し深い程度、つまり、当該凹部の底面（Ｚ軸方向マイナス側の面）に突出部４２０の先端部４２３が当接しない程度の深さであるのが好ましい。
【００４５】
以上のように、液栓４００及び容器１００のいずれか一方は、他方に向けて突出する突出部４２０を有し、当該他方は、突出部４２０が挿入される被挿入部１１２を有している。本実施の形態では、液栓４００が突出部４２０を有し、容器１００が被挿入部１１２を有している。そして、このような構成において、液栓４００は、突出部４２０が被挿入部１１２に挿入（嵌合）されることで、蓋体１１０に対して位置決めされる。そして、液栓４００の本体部４１０が蓋体１１０の外面１１３に当接して液口１１１を塞いだ状態で、本体部４１０の外周部分（外周縁）が外面１１３に溶接等接合されて、接合部４３０が形成される。
【００４６】
これにより、液栓４００が蓋体１１０に固定（接合）された状態（突出部４２０が被挿入部１１２に挿入された状態）においては、突出部４２０及び被挿入部１１２は、液口１１１と間隔を空けて、液口１１１の周囲に環状に配置されることとなる。また、突出部４２０及び被挿入部１１２は、蓋体１１０と本体部４１０との接合位置とは異なる位置に配置されることとなる。つまり、接合部４３０は、液口１１１に対して、突出部４２０及び被挿入部１１２よりも外側に配置されることとなる。また、上面視で、液口１１１は、本体部４１０の中央位置に配置され、被挿入部１１２は、中心が本体部４１０の中心位置に配置されることとなる。
【００４７】
［３  効果の説明］
以上のように、本発明の実施の形態に係る蓄電素子１０によれば、液栓４００は液口１１１を覆う本体部４１０を有し、液栓４００及び容器１００のいずれか一方は、他方に向けて突出する突出部４２０を有し、当該他方は、突出部４２０が挿入される被挿入部１１２を有している。そして、突出部４２０及び被挿入部１１２は、容器１００と本体部４１０との接合位置とは異なる位置、かつ液口１１１と間隔を空けて配置されている。つまり、液栓４００の本体部４１０で液口１１１を覆って液口１１１を塞ぐとともに、液口１１１と間隔を空けた位置で突出部４２０を被挿入部１１２に挿入して液栓４００の位置決めを行う。これにより、突出部４２０が液口１１１内に配置されないため、突出部４２０を伝って液口１１１内を電解液が這い上がることがなく、液口１１１から電解液が這い上がってくるのを抑制することができる。このように、液口１１１からの電解液の這い上がりを抑制することで、液栓４００と容器１００との接合作業を容易にすることができる。
【００４８】
また、突出部４２０及び被挿入部１１２を溶接等で接合すると、突出部４２０及び被挿入部１１２の間の隙間が狭まるなどによって接合部分が液栓４００の本体部４１０を引っ張ることとなり、本体部４１０が割れるなど損傷するおそれがある。このため、突出部４２０及び被挿入部１１２とは異なる位置で、容器１００と本体部４１０とを接合することで、本体部４１０が損傷するのを抑制することができ、液栓４００と容器１００との接合作業を容易にすることができる。
【００４９】
また、容器１００に、液口１１１及び被挿入部１１２の２箇所の特徴点があるため、容器１００の位置や容器１００の姿勢を容易に把握することができ、容易に液栓４００を容器１００に配置することができる。これにより、液栓４００と容器１００との接合作業を容易にすることができる。
【００５０】
また、容器１００に、被挿入部１１２としての凹部を形成し、液栓４００に、当該凹部に挿入される突出部４２０を形成する。ここで、液栓４００は小さい部材であるため、突出部４２０及び被挿入部１１２も小さく形成する必要がある。このため、容器１００に小さな突出部を形成するよりも、小さな凹部を形成する方が、容器１００を容易に製造することができる。そして、容器１００に、被挿入部１１２として凹部を形成した場合には、当該凹部から電解液が這い上がってくることがないため、電解液の容器１００表面への這い上がりを抑制することができ、液栓４００と容器１００との接合作業が容易になる。また、容器１００に凹部を形成した場合には、突出部４２０を当該凹部に挿入する際にコンタミ（コンタミネーション、金属粉）が発生しても、当該コンタミが容器１００内部に混入するのを抑制することができるため、液栓４００と容器１００との接合作業が容易になる。このように、製造が容易な容器１００を用いた構成において、液栓４００と容器１００との接合作業を容易にすることができる。
【００５１】
また、突出部４２０及び被挿入部１１２は、液口１１１の周囲に環状に配置されている。つまり、液口１１１内に突出部４２０が挿入される構成ではなく、液口１１１と間隔を空けて突出部４２０及び被挿入部１１２が配置される構成であるため、環状の突出部４２０が環状の被挿入部１１２に挿入される構成とすることができる。これにより、液栓４００を容器１００にしっかりと固定することができ、液栓４００と容器１００との接合作業を容易にすることができる。また、環状の突出部４２０と環状の被挿入部１１２とを溶接等で接合すると、環状の接合部分が液栓４００の本体部４１０を周囲から引っ張り合うこととなり、本体部４１０が割れるなど損傷しやすくなるが、蓄電素子１０においては、突出部４２０及び被挿入部１１２とは異なる位置で容器１００と本体部４１０とを接合する構成である。このため、環状の突出部４２０と環状の被挿入部１１２とを有する構成においても、接合時に本体部４１０が損傷するのを抑制することができ、液栓４００と容器１００との接合作業を容易にすることができる。
【００５２】
また、接合部４３０は、液口１１１に対して、突出部４２０及び被挿入部１１２よりも外側に配置されているため、接合部４３０が液口１１１と突出部４２０及び被挿入部１１２との間にある場合よりも、液口１１１から接合部４３０をより遠ざけることができる。また、被挿入部１１２を、液口１１１から電解液が這い上がってきた場合に電解液を溜める凹部として機能させることもできる。これにより、接合部４３０にまで電解液が這い上がってくるのを抑制することができ、液栓４００と容器１００との接合作業を容易にすることができる。
【００５３】
［４  実施の形態の変形例の説明］
（変形例１）
次に、上記実施の形態の変形例１について、説明する。図５は、本実施の形態の変形例１に係る液栓４００ａの構成を示す斜視図である。具体的には、図５は、液栓４００ａを斜め下方から見た場合の液栓４００ａの構成を示す斜視図である。
【００５４】
図５に示すように、本変形例における液栓４００ａは、上記実施の形態における液栓４００の突出部４２０に代えて、複数の突出部４２０ａを有している。本変形例では、４つの上面視円弧形状の突出部４２０ａが等間隔で環状に配置されている。つまり、突出部４２０ａは、上記実施の形態における上面視円環状の突出部４２０を４つに分割したような形状を有している。なお、突出部４２０ａの個数（突出部４２０の分割数）は、４つには限定されず、それぞれの円弧の長さも特に限定されない。
【００５５】
そして、複数の突出部４２０ａは、上記実施の形態における被挿入部１１２に挿入される。これにより、複数の突出部４２０ａは、液口１１１から間隔を空けて液口１１１の周囲に配置される。本変形例のその他の構成については、上記実施の形態と同様であり、詳細な説明は省略する。
【００５６】
また、複数の突出部４２０ａは、図６に示すような形状の被挿入部１１２ａに挿入される構成にすることもできる。図６は、本実施の形態の変形例１に係る蓋体１１０ａの液口１１１まわりの構成を示す斜視図である。
【００５７】
図６に示すように、蓋体１１０ａは、液口１１１から間隔を空けて液口１１１の周囲に配置され、複数の突出部４２０ａに対応した形状の複数の被挿入部１１２ａを有している。つまり、複数の被挿入部１１２ａは、上記実施の形態における上面視円環状の被挿入部１１２を４つに分割したような形状を有している。具体的には、それぞれの被挿入部１１２ａは、上面視で、それぞれの突出部４２０ａの外周形状とほぼ同一の内周形状を有している。そして、複数の突出部４２０ａのそれぞれが、複数の被挿入部１１２ａのそれぞれに挿入（嵌合）される。
【００５８】
このように、液栓４００ａ及び蓋体１１０ａの一方は、複数の突出部４２０ａを有し、他方は、複数の被挿入部１１２ａを有している。本変形例では、液栓４００ａが突出部４２０ａを有し、蓋体１１０ａが被挿入部１１２ａを有している。そして、複数の突出部４２０ａ及び複数の被挿入部１１２ａは、液口１１１から間隔を空けて液口１１１の周囲に配置されている。
【００５９】
以上のように、本変形例に係る蓄電素子１０によれば、液口１１１内に突出部４２０ａが挿入される構成ではなく、液口１１１と間隔を空けて突出部４２０ａ及び被挿入部１１２ａが配置される構成であるため、複数の突出部４２０ａが複数の被挿入部１１２ａに挿入される構成とすることができる。これにより、液栓４００ａが蓋体１１０ａに対して回転するのを抑制することができるとともに、液栓４００ａを蓋体１１０ａにしっかりと固定することができるため、液栓４００ａと蓋体１１０ａとの接合作業を容易にすることができる。
【００６０】
また、複数の突出部４２０ａ及び複数の被挿入部１１２ａは、液口１１１の周囲に配置されている。ここで、複数の突出部４２０ａ及び複数の被挿入部１１２ａを一列に並べて配置したりすると、液栓４００ａの本体部４１０の形状が長くなるため、本体部４１０と蓋体１１０ａとの接合部分の長さが長くなり、液栓４００ａと蓋体１１０ａとの接合作業が困難になる。このため、液口１１１の周囲に複数の突出部４２０ａ及び複数の被挿入部１１２ａを配置することで、本体部４１０の外周部分の長さを短くすることができるため、本体部４１０と蓋体１１０ａとの接合部分の長さを短くすることができる。これにより、液栓４００ａと蓋体１１０ａとの接合作業を容易にすることができる。
【００６１】
また、液口１１１の周囲の複数の突出部４２０ａと複数の被挿入部１１２ａとを溶接等で接合すると、複数の接合部分が液栓４００ａの本体部４１０を周囲から引っ張り合うこととなり、本体部４１０が割れるなど損傷しやすくなるが、蓄電素子１０においては、突出部４２０ａ及び被挿入部１１２ａとは異なる位置で蓋体１１０ａと本体部４１０とを接合する構成である。このため、液口１１１の周囲の複数の突出部４２０ａと複数の被挿入部１１２ａとを有する構成においても、接合時に本体部４１０が損傷するのを抑制することができ、液栓４００ａと蓋体１１０ａとの接合作業を容易にすることができる。
【００６２】
（変形例２）
次に、上記実施の形態の変形例２について、説明する。図７は、本実施の形態の変形例２に係る液栓４００ｂの構成を示す斜視図である。具体的には、図７の（ａ）は、液栓４００ｂを斜め上方から見た場合、図７の（ｂ）は、液栓４００ｂを斜め下方から見た場合の液栓４００ｂの構成を示す斜視図である。
【００６３】
図７に示すように、本変形例における液栓４００ｂは、上記実施の形態における液栓４００の突出部４２０に代えて、複数の突出部４２０ｂを有している。本変形例では、３つの上面視円形状（円柱状）の突出部４２０ｂが等間隔で環状に配置されている。なお、突出部４２０ｂの個数は、３つには限定されず、大きさも特に限定されない。そして、複数の突出部４２０ｂは、上記実施の形態に示した被挿入部１１２のような円環状の凹部に挿入される。本変形例のその他の構成については、上記実施の形態と同様であり、詳細な説明は省略する。
【００６４】
また、複数の突出部４２０ｂは、図８に示すような形状の被挿入部１１２ｂに挿入される構成にすることもできる。図８は、本実施の形態の変形例２に係る蓋体１１０ｂの液口１１１まわりの構成を示す斜視図である。
【００６５】
図８に示すように、蓋体１１０ｂは、液口１１１の周囲に配置され、複数の突出部４２０ｂに対応した形状の複数の被挿入部１１２ｂを有している。つまり、複数の被挿入部１１２ｂのそれぞれは、上面視で、それぞれの突出部４２０ｂの外周形状とほぼ同一の内周形状を有している。そして、複数の突出部４２０ｂのそれぞれが、複数の被挿入部１１２ｂのそれぞれに挿入（嵌合）される。
【００６６】
以上のように、本変形例に係る蓄電素子１０によれば、上記変形例１と同様の効果を奏することができる。つまり、液栓に配置される突出部、及び、容器に形成される被挿入部の形状や個数は、特に限定されない。なお、突出部及び被挿入部の形状は、上記の他、例えば、上面視で楕円形状、長円形状または多角形状などであってもよく、全ての突出部及び被挿入部が同じ形状で形成されていなくてもよい。また、突出部は、先端部分が細くなっていない柱状の部位であってもよい。また、被挿入部は、突出部の外周形状と異なる内周形状や異なる大きさであってもよく、突出部と被挿入部とが嵌合されることなく突出部が被挿入部に挿入される構成であってもよい。また、突出部及び被挿入部の配置位置についても、特に限定されない。例えば、突出部及び被挿入部は、液口の周囲に等間隔で配置されていなくともよい。また、複数の突出部及び複数の被挿入部は、全体として、上面視で液栓の本体部の中心位置からずれた位置に配置されていてもよい。この場合、液口は、上面視で本体部の中心位置からずれた位置に配置されていてもよい。
【００６７】
また、図７の（ａ）に示すように、液栓４００ｂの本体部４１０の外面には、複数の突出部４２０ｂに対応する位置に、複数の本体部外面凹部４１１ｂが形成されている。本体部外面凹部４１１ｂは、突出部４２０ｂのＺ軸方向プラス側に配置された上面視円形状の凹部である。つまり、図１０の（ａ）に示すように、それぞれの突出部４２０ｂは、内方に空間（凹部）が形成された中空の構造を有している。なお、本体部外面凹部４１１ｂは、第二凹部の一例である。
【００６８】
このように、液栓４００ｂの本体部４１０の外面に複数の本体部外面凹部４１１ｂを形成することで、複数の本体部外面凹部４１１ｂを用いて、液栓４００ｂの位置決めを行うことができる。また、液栓４００ｂの本体部４１０に本体部外面凹部４１１ｂが形成されていると本体部４１０が割れるなど損傷しやすくなるが、蓄電素子１０においては、本体部４１０が損傷するのを抑制することができる構成であるため、本体部４１０に本体部外面凹部４１１ｂを形成することができる。これらにより、液栓４００ｂと容器との接合作業を容易にすることができる。
【００６９】
（変形例３）
次に、上記実施の形態の変形例３について、説明する。図９は、本実施の形態の変形例３に係る蓋体１１０ｃの液口１１１まわりの構成を示す斜視図である。
【００７０】
図９に示すように、本変形例における蓋体１１０ｃには、上記変形例２の構成に加えて、外面１１３から凹んだ上面視円形状の凹部である蓋体凹部１１４が形成されている。そして、この蓋体凹部１１４に、上記実施の形態における上面視円形状の液口１１１が配置されている。つまり、蓋体凹部１１４の底面を貫通するように、液口１１１が形成されている。言い換えれば、蓋体１１０ｃは、液口１１１の入口側（Ｚ軸方向プラス側）の周囲に、上面視円環状の底面部と、当該底面部の外周縁から立ち上がる円筒状の側面部とによって形成された階段状の段差部を有している。本変形例のその他の構成については、上記変形例２と同様であり、詳細な説明は省略する。
【００７１】
以上のように、本変形例に係る蓄電素子１０によれば、蓋体１１０ｃに形成された蓋体凹部１１４内に液口１１１を配置することで、電解液が液口１１１を這い上がってきても、蓋体１１０ｃの外面１１３にまで電解液が這い上がってくるのを抑制することができる。また、液口１１１を蓋体凹部１１４に配置することで、液栓の本体部の内面が液口１１１の端縁に直接触れるのを抑制することができる。これにより、電解液が液口１１１から蓋体１１０ｃの外面１１３にまで這い上がってくるのを抑制することができるため、液栓と蓋体１１０ｃとの接合作業を容易にすることができる。
【００７２】
なお、蓋体凹部１１４は、上面視円形状の凹部には限定されず、例えば、上面視で楕円形状、長円形状または多角形状等、どのような形状の凹部であってもよい。または、蓋体凹部１１４は、外面１１３からＺ軸方向マイナス側に向けて径が徐々に小さくなるテーパ形状の凹部等であってもよい。また、蓋体凹部１１４は、上記変形例２以外の構成の蓋体にも形成することができる。
【００７３】
（変形例４）
次に、上記実施の形態の変形例４について、説明する。図１０は、本実施の形態の変形例４に係る蓋体１１０ｂの液口１１１まわりの構成、及び、液栓４００ｃの構成を示す断面図及び斜視図である。具体的には、図１０の（ａ）は、蓋体１１０ｂ及び液栓４００ｃの構成を示す断面図であり、図１０の（ｂ）は、液栓４００ｃの構成を示す斜視図である。
【００７４】
図１０に示すように、本変形例における液栓４００ｃは、上記変形例２における図７で示した構成の液栓４００ｂの本体部４１０に代えて、本体部４１０ｃを有している。本体部４１０ｃには、複数の突出部４２０ｂの中央位置に、内面４１２から凹んだ円形状の本体部内面凹部４１３が形成されている。ここで、本体部内面凹部４１３は、上面視で、液口１１１よりも大きな形状を有しており、これにより、本体部４１０ｃの液口１１１との対向面に、本体部内面凹部４１３が配置される（上面視で、本体部内面凹部４１３の内部に液口１１１が配置される）こととなる。つまり、液栓４００ｃには、本体部４１０ｃの内面４１２における突出部４２０ｂ及び被挿入部１１２ｂよりも液口１１１側に、本体部内面凹部４１３が形成されている。本変形例のその他の構成については、上記変形例２と同様であり、詳細な説明は省略する。なお、本体部内面凹部４１３は、第一凹部の一例である。
【００７５】
以上のように、本変形例に係る蓄電素子１０によれば、液口１１１と突出部４２０ｂ及び被挿入部１１２ｂとは、間隔を空けて配置されるため、本体部４１０ｃの内面における突出部４２０ｂ及び被挿入部１１２ｂの液口１１１側に本体部内面凹部４１３を形成することで、本体部内面凹部４１３を液口１１１に対向する位置に配置することができる。これにより、本体部４１０ｃが液口１１１の端縁に直接触れるのを抑制することができるため、電解液が液口１１１から這い上がってくるのを抑制することができる。また、液口１１１の周囲の複数の突出部４２０ｂと複数の被挿入部１１２ｂとを溶接等で接合すると、複数の接合部分が液栓の本体部を周囲から引っ張り合うこととなり、液栓４００ｃの本体部４１０ｃに本体部内面凹部４１３が形成されていると本体部４１０ｃが割れるなど損傷しやすくなる。しかし、蓄電素子１０においては、突出部４２０ｂ及び被挿入部１１２ｂとは異なる位置で蓋体１１０ｂと本体部４１０ｃとを接合する構成であるため、本体部４１０ｃに本体部内面凹部４１３を形成しても本体部４１０ｃが損傷するのを抑制することができる。これらにより、液栓４００ｃと蓋体１１０ｂとの接合作業を容易にすることができる。
【００７６】
なお、本体部内面凹部４１３は、上面視円形状の凹部には限定されず、例えば、上面視で楕円形状、長円形状または多角形状等、どのような形状の凹部であってもよい。また、本体部内面凹部４１３は、内面４１２からＺ軸方向プラス側に向けて径が徐々に小さくなるテーパ形状の凹部であるが、当該テーパ形状を有していなくてもよい。また、本体部内面凹部４１３は、上記変形例２以外の構成にも適用することができる。
【００７７】
（変形例５）
次に、上記実施の形態の変形例５について、説明する。図１１は、本実施の形態の変形例５に係る蓋体１１０ｄの液口１１１ｄまわりの構成、及び、液栓４００ｄの構成を示す斜視図である。具体的には、図１１は、図３に対応する図である。
【００７８】
図１１に示すように、本変形例においては、液栓４００ｄは、本体部４１０の中央位置から突出して配置された円柱状の突出部４２０ｄを１つ有している。また、蓋体１１０ｄには、液口１１１ｄに並んで１つの上面視円形状の被挿入部１１２ｄが液口１１１ｄから間隔を空けて配置されており、被挿入部１１２ｄに突出部４２０ｄが挿入（嵌合）される。つまり、液口１１１ｄ及び被挿入部１１２ｄは、互いに周囲を囲む関係にはない位置に配置されている。なお、本変形例においても、突出部４２０ｄ及び被挿入部１１２ｄは、蓋体１１０ｄと本体部４１０との接合位置とは異なる位置に配置されている。本変形例のその他の構成については、上記実施の形態と同様であり、詳細な説明は省略する。
【００７９】
以上のように、本変形例に係る蓄電素子１０によっても、突出部４２０ｄが液口１１１ｄ内に配置されないため、突出部４２０ｄを伝って液口１１１ｄ内を電解液が這い上がることがなく、液栓４００ｄと蓋体１１０ｄとの接合作業を容易にすることができる。
【００８０】
（変形例６）
次に、上記実施の形態の変形例６について、説明する。図１２は、本実施の形態の変形例６に係る蓋体１１０ｅの液口１１１ｅまわりの構成、及び、液栓４００ｄの構成を示す斜視図である。具体的には、図１２は、図３に対応する図である。
【００８１】
図１２に示すように、本変形例においては、蓋体１１０ｅは、上記変形例５とは異なり、被挿入部１１２ｄの周囲に、被挿入部１１２ｄから間隔を空けて配置される複数の液口１１１ｅを有している。具体的には、蓋体１１０ｅには、被挿入部１１２ｄの周囲に４つの上面視円弧形状の液口１１１ｅが環状に配置されて形成されている。つまり、液口１１１ｅは、上面視で非円形状を有している。なお、本変形例においても、突出部４２０ｄ及び被挿入部１１２ｄは、蓋体１１０ｅと本体部４１０との接合位置とは異なる位置に配置されている。本変形例のその他の構成については、上記実施の形態と同様であり、詳細な説明は省略する。
【００８２】
以上のように、本変形例に係る蓄電素子１０によれば、上記変形例５と同様の効果を奏することができる。また、蓋体１１０ｅに複数の液口１１１ｅを形成すると、液口１１１ｅの総面積を大きくすることができたり、一部の液口１１１ｅを容器内の空気排出用（真空引き用）として用いたりすることにより、注液性を向上させることができる。しかし、例えば、被挿入部１１２ｄと複数の液口１１１ｅとを一列に並べて配置したりすると、本体部４１０の形状が長くなるため、本体部４１０と蓋体１１０ｅとの接合部分の長さが長くなる。このため、被挿入部１１２ｄの周囲に複数の液口１１１ｅを配置することで、本体部４１０の外周部分の長さを短くすることができるため、本体部４１０と蓋体１１０ｅとの接合部分の長さを短くすることができる。これにより、本体部４１０と蓋体１１０ｅとの接合作業を容易にすることができる。また、複数の液口１１１ｅの中央位置に突出部４２０ｄ及び被挿入部１１２ｄを配置することで、複数の液口１１１ｅの中央位置で液栓４００ｄを蓋体１１０ｅに固定することができるため、バランスよく複数の液口１１１ｅを塞ぐことができる。
【００８３】
なお、複数の液口１１１ｅの配置位置は、上記には限定されず、例えば、被挿入部１１２ｄの側方に一列に配列されていてもよいし、規則性がなく不規則に配列されていてもよい。また、複数の液口１１１ｅの個数についても、特に限定されない。また、液口１１１ｅの形状は、図１２に示す形状には限定されず、例えば上面視で円形状、楕円形状、長円形状または多角形状などであってもよい。なお、上記実施の形態及び他の変形例のように、１つの液口が設けられた構成についても、当該液口は、図１２に示す形状や、例えば上面視で楕円形状、長円形状または多角形状などの上面視非円形状であってもよい。
【００８４】
（その他の変形例）
以上、本発明の実施の形態及びその変形例に係る蓄電素子１０について説明したが、本発明は、上記実施の形態及びその変形例に限定されるものではない。つまり、今回開示された実施の形態及びその変形例は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【００８５】
例えば、上記実施の形態及びその変形例では、液栓が突出部を有し、容器の蓋体が被挿入部を有していることとした。しかし、蓋体が突出部を有し、液栓が被挿入部を有していることにしてもよい。ただし、上記変形例５、６においては、液栓の本体部の中央位置に突出部を形成する構成にすることで、従来の構成の液栓を活用することができるため、液栓が突出部を有する構成の方が、効果が高く、好ましい。
【００８６】
また、上記実施の形態及びその変形例では、被挿入部は、容器に形成された凹部であり、突出部は、当該凹部に挿入されることとした。しかし、被挿入部は、容器に形成された貫通孔であり、突出部は、当該貫通孔に挿入されることにしてもよい。この構成により、容器に貫通孔を形成するという簡易な加工によって、容器を容易に製造することができる。また、容器に、被挿入部として貫通孔を形成した場合には、突出部の被挿入部への挿入深さを深くすることができるため、液栓を容器にしっかりと固定することができ、液栓と容器との接合作業が容易になる。ただし、容器に、被挿入部として凹部を形成した場合には、上述の通り、電解液の容器表面への這い上がりを抑制することができたり、突出部を当該凹部に挿入する際にコンタミが容器内部に混入するのを抑制することができる。このため、容器に、被挿入部として貫通孔を形成するよりも、凹部を形成する方が、効果が高く、好ましい。
【００８７】
また、上記実施の形態及びその変形例では、液栓の本体部は、上面視円形状であることとした。しかし、液栓の本体部は、例えば上面視で楕円形状、長円形状または多角形状などの上面視非円形状であってもよい。また、液栓と容器との接合部も同様に、本体部の外周形状に応じた形状であればよい。
【００８８】
また、上記実施の形態及びその変形例では、液栓と容器との接合部は、液栓の本体部の外周部分（外周縁）に形成されることとした。しかし、接合部は、突出部及び被挿入部と異なる位置に配置されるのであれば、本体部の外周部分以外の部分に形成されて、本体部を容器に接合することにしてもよい。この場合には、接合部の形状は、本体部の外周形状に応じた形状でなくてもよく、どのような形状であってもよい。ただし、上述の通り、液口から電解液が這い上がってくるのを抑制するために、接合部は、液口に対して、突出部及び被挿入部よりも外側に配置されているのが好ましい。
【００８９】
また、上記実施の形態及びその変形例では、接合部は、液栓の本体部と容器の蓋体とが溶接によって接合された溶接部であることとした。しかし、本体部と蓋体との接合方法は、溶接には限定されず、例えば、接合部は、液栓の本体部と容器の蓋体とが接着剤等によって接着、熱溶着等によって溶着、または、かしめ等によって機械的に接合された部位であることにしてもよい。この場合でも、液口から電解液が這い上がってくるのを抑制することで、液栓と蓋体との接合不良を抑制することができる。
【００９０】
また、上記実施の形態及びその変形例では、容器の蓋体に液口が形成され、当該液口を塞ぐように、容器の蓋体に液栓が配置されることとした。しかし、容器本体１２０のいずれかの壁部に液口が形成され、当該液口を塞ぐように、容器本体１２０の当該壁部に液栓が配置されることにしてもよい。
【００９１】
また、上記実施の形態及びその変形例に含まれる構成要素を任意に組み合わせて構築される形態も、本発明の範囲内に含まれる。
【００９２】
また、本発明は、蓄電素子１０として実現することができるだけでなく、蓄電素子１０が備える、電解液の液口が形成された容器及び液栓としても実現することができる。
【産業上の利用可能性】
【００９３】
本発明は、リチウムイオン二次電池などの蓄電素子等に適用できる。
【符号の説明】
【００９４】
１０  蓄電素子
１００  容器
１１０、１１０ａ、１１０ｂ、１１０ｃ、１１０ｄ、１１０ｅ  蓋体
１１１、１１１ｄ、１１１ｅ  液口
１１２、１１２ａ、１１２ｂ、１１２ｄ  被挿入部
１１３  外面
１１４  蓋体凹部
１２０  容器本体
１３０  電極体
１４０  正極集電体
１５０  負極集電体
２００  正極端子
３００  負極端子
４００、４００ａ、４００ｂ、４００ｃ、４００ｄ  液栓
４１０、４１０ｃ  本体部
４１１  本体部外面凹部
４１１ｂ  本体部外面凹部（第二凹部）
４１２  内面
４１３  本体部内面凹部（第一凹部）
４２０、４２０ａ、４２０ｂ、４２０ｄ  突出部
４２１  筒部
４２２  縮径部
４２３  先端部
４３０  接合部
【図１】
2019029210.tif 000003
【図２】
2019029210.tif 000004
【図３】
2019029210.tif 000005
【図４】
2019029210.tif 000006
【図５】
2019029210.tif 000007
【図６】
2019029210.tif 000008
【図７】
2019029210.tif 000009
【図８】
2019029210.tif 000010
【図９】
2019029210.tif 000011
【図１０】
2019029210.tif 000012
【図１１】
2019029210.tif 000013
【図１２】
2019029210.tif 000014